(57)【要約】  【課題】  既存のコネクタカバーを用いて、ピンコネクタが高温状態になった際に生じる、電子機器の筺体外面から突出したピンコネクタ上端部分に人が触れて火傷を負う危険性を確実に回避することは、難しいと考える。また、既存のコネクタカバーのうち一種類のみを用いて、互いに異なる規格を持つ複数のピンコネクタを覆うことはできない  【解決手段】  本発明は、電子機器の筺体外面に配置されたピンコネクタの全体を覆う手段を提供する。【選択図】            図４
2009140833.tif 000002
【特許請求の範囲】
【請求項１】
電子機器の筺体外面に配置されるピンコネクタのカバー構造体であって、
ピンを接触させるピン接触領域と、ピンコネクタ同士を固定するための固定金具と、をともに囲むカバー本体を有するコネクタカバー構造体。
【請求項２】
カバー本体は、
ピン接触領域のピン及び固定金具の側周面を覆うスカート部と、
ピン接触領域のピン及び固定金具の上面を覆う天井部と、
からなる請求項１に記載のコネクタカバー構造体。
【請求項３】
カバー本体内側に備えられ、前記固定金具と着脱自在な着脱部を有する請求項１又は２に記載のコネクタカバー構造体。
【請求項４】
スカート部は、同種のピンコネクタのピン接触領域を取り囲むシールド壁のうち規格上対向距離が固定されている一対のシールド壁に対してのみこれを挟むようにして嵌着脱自在に構成されている請求項２、および、請求項２に従属する請求項３のいずれか一に記載のコネクタカバー構造体。
【請求項５】
スカート部は、そのスカート高さが、カバー本体をピンコネクタに固定した状態で、すそ端縁が電子機器の筺体外面と放熱のための隙間を確保できる高さである請求項２、および、請求項２に従属する請求項３または４のいずれか一に記載のコネクタカバー構造体。
【請求項６】
着脱部は複数種類の固定金具に対して着脱自在なユニバーサル形状である請求項３、請求項３に従属する請求項４に記載のコネクタカバー構造体。
【請求項７】
着脱部は、カバー本体がピンコネクタを覆うように固定された状態で、他方のピンコネクタのペア側固定金具を挿抜自在であるように貫通穴状またはスリット状にカバー本体に対して構成されている請求項３、請求項３に従属する請求項４から６のいずれか一に記載のコネクタカバー構造体。
【請求項８】
カバー本体には、カバー本体がピンコネクタを覆うように固定された状態で、他方のピンコネクタのピン噛合部分が挿抜自在であるように貫通穴状またはスリット状にカバー本体に対する挿抜部が設けられている請求項１から７のいずれか一に記載のコネクタカバー構造体。
【発明の詳細な説明】
【技術分野】
【０００１】
本発明は、電子機器の筺体外面に取り付けられたピンコネクタを覆うための断熱カバーの構造に関する発明である。
【背景技術】
【０００２】
パーソナルコンピュータなどの電子機器の筺体外面には複数のコネクタが配置されている。その中に、図１８に例示するような、ピン接触領域（１８０１）を囲んだ台形状のシールド外壁（１８０２）と、前記シールド外壁の両サイドに配置された、ピンコネクタのオス側とメス側とを固定するための固定金具（１８０３）（１８０４）と、からなるピンコネクタがある。このピンコネクタは、もう一方の（ケーブル側の）ピンコネクタ（１８０５）と接続することで、信号のやり取りを行うものである。このピンコネクタは、通常電子機器の筺体外面から突出した構造をとっている。
【０００３】
電子機器の使用中、電子機器中のＣＰＵなどの集積回路は熱をもつ。この熱は筺体外面に配置された複数のコネクタにも伝導する。その熱は、コネクタを時々人に熱傷を負わせるほどの温度にすることがある。上述した通り、上記ピンコネクタは通常筺体外面から突出した構造をとっている。そのため、集積回路からの熱伝動が原因でピンコネクタが高温状態になった場合、電子機器の筺体外面から突出したピンコネクタ上端部分に人が触れることで、前記人が火傷を負う危険性がある。
【０００４】
特許文献１に係る発明は、電子機器の筺体外面に取り付けられたピンコネクタの、ピン接触領域を囲んだ台形状のシールド外壁部分を覆うコネクタカバーに係る発明である。
【非特許文献１】実開 平２−１３３８８０号
【発明の開示】
【発明が解決しようとする課題】
【０００５】
しかし、特許文献１に係るコネクタカバーは電子機器の筺体外面に取り付けられたピンコネクタの、ピン接触領域を囲んだ台形状のシールド外壁部分のみを覆うものである。よって、このコネクタカバーは、シールド外壁の両サイドに配置された、ピンコネクタ同士を固定するための固定金具まで覆うことはできない。したがって、上記火傷の危険性を完全に回避することはできない。
【０００６】
また、図７に例示するように、ピンコネクタには様々な規格のものがあり、そのほとんどは、大きさやピンの配置において異なる。特許文献１に係るコネクタカバーの形状は、ピンコネクタの各規格に応じて個々別々に製造されている。したがって、一種類の前記コネクタカバーを、互いに異なる規格を持つ複数のピンコネクタに用いることはできない。
【課題を解決するための手段】
【０００７】
本件発明は、電子機器の筺体外面に配置されたピンコネクタの全体を覆う手段を提供する。具体的には、まず、電子機器の筺体外面に配置されるピンコネクタのカバー構造体であって、ピンを接触させるピン接触領域と、ピンコネクタ同士を固定するための固定金具と、をともに囲むカバー本体を有するコネクタカバー構造体を提供する。
【０００８】
また、上記コネクタカバー構造体に、ピンコネクタのピン接触領域を取り囲むシールド壁に固定させる機能、および、前記固定金具の位置や形状に拘わらずピンコネクタに固定できる機能を加えたコネクタカバー構造体を提供する。
【０００９】
また、上記コネクタカバー構造体に、ピンコネクタのオス側とメス側とを固定するための固定金具に固定する機能や、ピンコネクタの放熱を促す機能や、前記コネクタカバーをピンコネクタに取り付けた状態でも他方のピンコネクタ（ケーブル側のピンコネクタ）を接続することのできる機能を加えたコネクタカバー構造体を提供する。
【発明の効果】
【００１０】
本発明にかかるコネクタカバー構造体により、ピンコネクタの全体を覆うことができる。したがって、ピンコネクタが高温状態になった際に生じる、電子機器の筺体外面から突出したピンコネクタ上端部分に人が触れて火傷を負う危険性を、回避することができる。
【００１１】
また、本発明にかかるコネクタ部の断熱カバー構造を用いることで、さまざまな規格のピンコネクタに対応できるコネクタカバー構造体を実現することができる。したがって、１種類のコネクタカバー構造体で、さまざまな規格のピンコネクタを覆うことができる。
【発明を実施するための最良の形態】
【００１２】
以下に、本発明の実施の形態を説明する。なお、本発明はこれら実施の形態に何ら限定されるものではなく、その要旨を逸脱しない範囲において、種々なる態様で実施しうる。なお、以下の実施形態と請求項の関係は次の通りである。
実施形態１は、主に請求項１、および、２について説明する。
実施形態２は、主に請求項３について説明する。
実施形態３は、主に請求項４について説明する。
実施形態４は、主に請求項５について説明する。
実施形態５は、主に請求項６について説明する。
実施形態６は、主に請求項７、および、８について説明する。
＜＜実施形態１＞＞
＜実施形態１の概要＞
【００１３】
本実施形態は図１に示すように、コネクタカバー構造体に関する発明である。図１の概念図は、その一例を示したものである。
【００１４】
電子機器の筺体外面に配置されたピンコネクタの、ピン（０１０２）を接触させるピン接触領域（０１０３）と、ピンコネクタ同士を固定するための固定金具（０１０４）（０１０５）とを、コネクタカバー構造体（０１０１）がピンコネクタ上面方向から覆う。これが本実施形態に係るコネクタカバー構造体である。
【００１５】
以下には、本件発明について、具体的に詳しく述べていく。
＜実施形態１の機能的構成＞
【００１６】
（概要）図２に示すのは、本件発明に係るコネクタカバー構造体の機能的構成例を示すものである。図２に例示するように、本件発明に係るコネクタカバー構造体は、天井部（０２０１）と、スカート部（０２０２）とからなる。
【００１７】
（天井部について）天井部（０２０１）は、ピン接触領域のピン及び固定金具の上面を覆う。
【００１８】
（スカート部について）スカート部（０２０２）は、ピン接触領域のピン及び固定金具の側周面を覆う。
【００１９】
なお、段落００１６から００１８において、本実施形態にかかるコネクタカバー構造体が天井部とスカート部により構成されるという構成例を示したが、前記コネクタカバー構造体の構成は飽くまでも一例であり、このような構成に限定されるものではない。図３（ａ）に示すように、本実施形態にかかるコネクタカバー構造体については、天井部とスカート部の区別がなく、耐熱素材でできた幌状のカバー（０３０１）を、ゴムなどの伸縮自在な材料（０３０２）を用いてピンコネクタに取り付けるような構造も可能である。
【００２０】
また、本実施形態において、本実施形態にかかるコネクタカバー構造体の、ピンコネクタ側への固定方法については特に限定しない。一例として図３（ｂ）に、コネクタカバー構造体本体（０３０３）の外側面に、磁石部分（０３０４）（０３０５）を取り付けて、前記磁石の磁力によりピンコネクタに固定する例をあげておく。
【００２１】
そして、本実施形態のかかるコネクタカバー構造体の材質は、鈍角程度に折り曲げることが可能であり、摂氏２００度くらいまでの耐熱性のあるものが好ましい。例として、ポリアミドなどのプラスチック材料があげられる。
＜実施形態１：効果＞
【００２２】
本実施形態にかかるコネクタカバー構造体を用いることで、ピンコネクタの全体を覆うことができる。したがって、集積回路からの熱伝動が原因でピンコネクタが高温状態になった際に発生する、電子機器の筺体外面から突出したピンコネクタ上端部分に人が触れて火傷を負う危険性を、回避することができる。
＜＜実施形態２＞＞
＜実施形態２の概要＞
【００２３】
本実施形態は、基本的に実施形態１と同様である。ただし、図４に示すように、コネクタカバー構造体が、コネクタカバー構造体自身（０４０１）を、ピンコネクタ同士を固定するための固定金具（０４０４）（０４０５）に固定できる着脱部（０４０２）（０４０３）を有する点で異なる。
【００２４】
以下には、本件発明について、具体的に詳しく述べていく。
＜実施形態２の機能的構成＞
【００２５】
（概要）本実施形態に係るコネクタカバー構造体の機能的構成は、基本的には実施形態１に係るコネクタカバー構造体と同様である。ただし、図４（ａ）に示すように、本実施形態に係るコネクタカバー構造体は、着脱部（０４０２）（０４０３）を有する。
【００２６】
（着脱部について）着脱部（０４０２）（０４０３）は、コネクタカバー構造体のカバー本体内側に備えられ、前記固定金具と着脱自在である。
【００２７】
図４（ａ）の断面図である図４（ｂ）に例示するように、着脱部の内径はピンコネクタ同士を固定するための固定金具の外径よりわずかに小さいものが好ましい。着脱部を前記固定金具にしっかりと固定するためである。なお、前記着脱部の内径と前記固定金具の外径の差は０．５ｍｍ程度が好ましい。また、前記着脱部は、前記固定金具の位置に合うよう、コネクタカバー構造体のカバー本体内上面に取り付けられている構成をとるのが好ましい。
【００２８】
上記説明においては、着脱部はコネクタカバー構造体のカバー本体内に取り付けられているものを挙げたが、このような構成に限定されるわけではない。前記構成は、図５（ａ）に示すような、コネクタカバー構造体のカバー本体内側面に着脱部が取り付けられているものでもよい。ただし、この場合でも、図５（ａ）の断面図である図５（ｂ）に示すように、着脱部は前記固定金具の位置に合うように設ける必要がある。また、着脱部の内径については、ピンコネクタ同士を固定するための固定金具の外径よりわずかに小さくする構成が好ましい。これも、図４に例示したものと同様に、着脱部を前記固定金具にしっかりと固定するためである。前記着脱部の内径と前記固定金具の外径の差については、図４に例示したものと同様に０．５ｍｍ程度とするのが好ましい。着脱部のその他の構成としては、図５（ｃ）に例示するような、前記固定金具の、他方の（ケーブル側の）ピンコネクタの固定金具を差し込むねじ穴に、円柱状の固定部分（０５０１）（０５０２）を挿入する構成をとることも可能である。また、図５（ｄ）に例示するように、前記円柱状の固定部分をくさび状（０５０３）（０５０４）にする構成などにしてもかまわない。
【００２９】
なお本実施形態にかかるコネクタカバー構造体の材質については、実施形態１と同様である。
＜実施形態２：効果＞
【００３０】
本実施形態により、ピンコネクタ同士を固定するための固定金具に、カバーコネクタ構造体をしっかりと固定することができる。よって、カバーコネクタ構造体に、外部からわずかな力が加えられても、ピンコネクタから外れにくくなる。
＜＜実施形態３＞＞
＜実施形態３の概要＞
【００３１】
本実施形態は、基本的に実施形態１および２と同様である。ただし、図６に示すように、本実施形態にかかるコネクタカバー構造体においては、スカート部のすその部分（０６０１）（０６０２）で、ピン接触領域を取り囲むシールド壁の一対の面（０６０３）（０６０４）を挟み込むことで、コネクタカバー構造体をピンコネクタに固定する点に特徴がある。
【００３２】
以下には、本件発明について、具体的に詳しく述べていく。
＜実施形態３の機能的構成＞
【００３３】
（概要）本実施形態に係るコネクタカバー構造体の機能的構成は、基本的には実施形態１および２に係るコネクタカバー構造体と同様である。
【００３４】
（スカート部について）ただし、図６に示すように、本実施形態に係るコネクタカバー構造体においては、そのスカート部が、同種のピンコネクタのピン接触領域を取り囲むシールド壁のうち規格上対向距離が固定されている一対のシールド壁に対してのみこれを挟むようにして嵌着脱自在に構成されている。ここで、同種のピンコネクタとは、ピン接触領域（およびピン接触領域を取り囲むシールド壁）の形状が台形状であり、前記ピン接触領域の両サイドにピンコネクタ同士を固定するための固定金具が一つずつ配置されているピンコネクタなどのことを指す。したがって、同種のピンコネクタであるか否かにおいて、ピン接触領域の大きさや、ピンの配置や、前記固定金具の位置、形状、大きさなどについては問われない。たとえば、図７（ａ）に示すミニＤ−Ｓｕｂ１５ピンコネクタや、図７（ｂ）に示すＤＶＩ−Ｄコネクタや、図７（ｃ）に示すシリアルポートなどが同種の関係にある。
【００３５】
前記コネクタカバー構造体のスカート部においては、図６（ａ）の断面Ａ（０６０９）を示す図である図６（ｂ）、（ｃ）に示すように、前記スカート部の幅（０６０５）を２つのシールド壁外側間（０６０７）の幅よりわずかに小さくしておきながら、スカート部のすそ部分の幅（０６０６）を２つのシールド壁外側間（０６０７）の幅よりやや大きくしておく構成が好ましい。スカート部の幅（０６０５）を２つのシールド壁外側間（０６０７）の幅よりわずかに小さくしておくことで、しっかりと両者を固定することができるからである。また、スカート部のすそ部分の幅（０６０６）を２つのシールド壁外側間（０６０７）の幅よりやや大きくしておくのは、前記スカート部が前記２つのシールド壁外側部分とスムースにかみ合うことができるからである。
【００３６】
図６においては、本実施形態にかかるコネクタカバー構造体におけるスカート部のすそ部分の奥行きと２つのシールド壁外側間の幅がほぼ同じであるかのように描かれているが、必ずしも同じである必要はない。図８（ａ）、（ｂ）に例示するような、前記スカート部のすそ部分の幅よりも、ピンコネクタの２つのシールド壁外側間の幅が大きい場合（０８０１）、すなわち前記スカート部のすそ部分を一部広げて固定する拡開固定の場合でも、本件発明に係るコネクタカバー構造体を、ゴムなどの伸縮可能な素材で構成すれば、前記ピンコネクタに前記コネクタカバー構造体を固定することができる。
【００３７】
本実施形態に係るコネクタカバー構造体の横方向の長さを十分にとっておけば、図９（ａ）に示すような、横方向にあまり長さのない小型のピンコネクタ（０９０１）だけでなく、図９（ｂ）に示すような、横方向に長いピンコネクタ（０９０２）にも本実施形態に係るコネクタカバー構造体（０９０３）（０９０４）を固定することができる。また、前記コネクタカバー構造体の幅が、ピンコネクタの２つのシールド壁外側間の幅より小さい場合（０９０９）（０９１０）も同様に、前記コネクタカバー構造体の横方向の長さを十分にとっておけば、図９（ｃ）に示すような、前記２つのシールド壁外側間の幅が比較的小さいもの（０９０５）や、図９（ｄ）に示すような、前記２つのシールド壁外側間の幅が大きいもの（０９０６）に対しても、前記コネクタカバー構造体（０９０７）（０９０８）を固定することができる。
【００３８】
本実施形態にかかるコネクタカバー構造体の材質については、実施形態１および２に記載の材料よりも柔軟性のある材料を用いることが好ましい。前記材料の一例として、ゴムが挙げられる。
＜実施形態３：効果＞
【００３９】
本実施形態により、さまざまな規格、大きさのピンコネクタに、カバーコネクタ構造体をしっかりと固定することのできるカバーコネクタ構造体が実現する。
＜＜実施形態４＞＞
＜実施形態４の概要＞
【００４０】
本実施形態は、基本的に実施形態１から３と同様である。ただし、図１０に示すように、本実施形態にかかるコネクタカバー構造体が、そのスカート部のすその部分（１００１）（１００２）と電子機器の筺体外表面との間に、通気を促せるほどの隙間をつくれる点について、前述の各実施形態とは異なる。
【００４１】
以下には、本件発明について、具体的に詳しく述べていく。
＜実施形態４の機能的構成＞
【００４２】
（スカート部について）図１０に示すように、本実施形態に係るコネクタカバー構造体のスカート部については、そのスカート高さが、カバー本体をピンコネクタに固定した状態で、すそ端縁が電子機器の筺体外面と放熱のための隙間を確保できる高さである。
【００４３】
本実施形態におけるコネクタカバー構造体が着脱部を持つ場合における、前記コネクタカバー構造体（１００３）の着脱部がピンコネクタ同士を固定するための固定金具（１００４）（１００５）にかみ合った状態を、図１０（１ａ）に示す。ここでは、前記スカート部のすそ部分（１００１）はピンコネクタの全体を覆う構造になってはいない。しかし、前記着脱部（１００６）（１００７）はしっかりと前記固定金具（１００４）（１００５）にかみ合った状態になっている。前記かみ合った状態においては、面Ｂ（１００８）を含む平面で切った断面を示す図１０（１ｂ）、および、断面Ｃ（１００９）を示す図１０（１ｃ）からもわかるように、着脱部（１０１０）（１０１１）が前記固定金具（１０１２）（１０１３）とかみ合うのに十分な長さがあれば、前記コネクタカバー構造体とピンコネクタとを固定しながら、スカート部のすそ部分と電子機器の筺体外表面（１０１４）（１０１５）との間に隙間を設けることができる。
【００４４】
本実施形態におけるコネクタカバー構造体のスカート部が、前記拡開固定によりピンコネクタに固定される場合、前記コネクタカバー構造体（１０１６）は図１０（２）に示すような形でピンコネクタに固定される。ここでも、前記スカート部のすそ部分（１００２）はピンコネクタの全体を覆う構造になってはいない。しかし、前記スカート部のすそ部分に、ピン接触領域を取り囲むシールド壁（１０１７）の上端部分がはめ込まれた状態となっている。この様子を断面Ａで観察してみる（１０１８）。前記スカート部のすそ部分（１０１９）と、前記シールド壁（１０２０）とが十分に接触していれば、前記コネクタカバー構造体をピンコネクタに固定しながら、前記スカート部のすそ部分（１０１９）と電子機器の筺体外表面（１０２１）との間に隙間を設けることができる。
【００４５】
なお、前記スカート部のすそ部分と電子機器の筺体外表面との間の隙間の大きさは、２ｍｍから４ｍｍとするのが好ましい。前記隙間が２ｍｍよりも小さい場合、あまりピンコネクタの放熱を促すことができないからである。そして、前記隙間が４ｍｍよりも大きい場合、わずかな外力で前記コネクタカバー構造体とピンコネクタとが外れてしまうからである。
＜実施形態４：効果＞
【００４６】
本実施形態にかかるコネクタカバー構造体をピンコネクタに固定することで、前記ピンコネクタに人の手が触れない状態を保ちつつ、ピンコネクタに伝導した熱を逃がし、ピンコネクタの冷却を促すことができる。
＜＜実施形態５＞＞
＜実施形態５の概要＞
【００４７】
本実施形態は、基本的に実施形態２から４と同様である。ただし、本実施形態に係るコネクタカバー構造体を、２つの固定金具間の距離が互いに異なる複数のピンコネクタや、前記固定金具の形状および大きさが互いに異なる複数のピンコネクタに固定できる点において、前述の各実施形態と異なる。たとえば、図１１に示すように、本実施形態に係るコネクタカバー構造体は、その着脱部が楕円形状（１１０１）（１１０２）をしていて、ピンコネクタ同士を固定するための固定金具の位置がそれぞれ異なる複数のピンコネクタに固定できる（１１０３）（１１０４）。また他の例として、本実施形態に係るコネクタカバー構造体は、前記着脱部の内側が、図１２に示すような１２角形状（１２０１）をしていて、三角形や六角形や円形などさまざまな形状の前記固定金具に固定することができる。
【００４８】
以下には、本件発明について、具体的に詳しく述べていく。
＜実施形態５の機能的構成＞
【００４９】
（着脱部について）図１１および１２に例示するように、本実施形態にかかるコネクタカバー構造体の着脱部は、複数種類の固定金具に対して着脱自在なユニバーサル形状である。
【００５０】
ユニバーサル形状の例として、図１１に示すコネクタカバー構造体の着脱部（１１０１）（１１０２）の形状や、図１２に示すコネクタカバー構造体の着脱部（１２０１）の形状などがあげられる。
＜実施形態５：効果＞
【００５１】
本実施形態により、２つの固定金具間の距離が互いに異なる複数のピンコネクタや、前記固定金具の形状および大きさが互いに異なる複数のピンコネクタに固定可能なカバーコネクタ構造体が実現する。
＜＜実施形態６＞＞
＜実施形態６の概要＞
【００５２】
本実施形態は、基本的に実施形態２から５と同様である。ただし、本実施形態にかかるコネクタカバー構造体については、前記コネクタカバー構造体を差し込まれる側（電子機器側）のピンコネクタに固定したままで、差し込む側の（ケーブル側の）ピンコネクタ（１３０２）を、差し込まれる側（電子機器側）のピンコネクタに差し込むことができる点において、前述の実施形態と異なる。
＜実施形態６の機能的構成＞
【００５３】
（概要）本実施形態に係るコネクタカバー構造体の機能的構成は、基本的には実施形態２から５に係るコネクタカバー構造体と同様である。
【００５４】
（着脱部について）着脱部は、実施形態２から５に係る着脱部を基本として、カバー本体がピンコネクタを覆うように固定された状態で、他方のピンコネクタのペア側固定金具を挿抜自在であるように貫通穴状またはスリット状にカバー本体に対して構成されている。前記貫通状またはスリット状の構成は、図１３（１ａ）に例示するような穴（１３０５）（１３０６）や、図１３（２ａ）に例示するようなスリット状の弁（１３０９）（１３１０）などからなる。
【００５５】
着脱部は図１３（１ａ）、（１ｂ）に例示するように、前記コネクタカバー構造体（１３０１）をピンコネクタに固定したままで、差し込む側の（ケーブル側の）ピンコネクタの固定金具（１３０３）（１３０４）を、差し込まれる側（電子機器側）のピンコネクタの固定金具に差し込むことのできる穴（１３０５）（１３０６）を前記コネクタカバー構造体のカバー本体に設けている。前記穴（１３０５）（１３０６）については、図１３（２ａ）、（２ｂ）に例示するように、それぞれの穴の入口部分にスリット状の弁（１３０９）（１３１０）を設けることもできる。前記弁については、ピンコネクタが差し込まれている間は、各弁のスリット部分が挿入方向に押し曲げられる構造にする（１３１３）（１３１４）（１３１７）（１３１８）のが好ましい。また、前記スリット部分を前記押し曲げられる構造にする場合、差し込む側の（ケーブル側の）ピンコネクタ（１３１２）が差し込まれる側の（電子機器側の）ピンコネクタに差し込まれていない状態においては、前記弁（１３０９）（１３１０）は閉じた状態になるようにする。
【００５６】
（挿抜部について）挿抜部は、カバー本体に、カバー本体がピンコネクタを覆うように固定された状態で、他方のピンコネクタのピン噛合部分が挿抜自在であるように貫通穴状またはスリット状に設けられている。前記貫通状またはスリット状の構成は、図１３（１ａ）に例示するような穴（１３０８）や、図１３（２ａ）に例示するようなスリット状の弁（１３１１）などからなる。
【００５７】
挿抜部は図１３（１ａ）、（１ｂ）、（１ｃ）に例示するように、前記コネクタカバー構造体（１３０１）をピンコネクタに固定したままで、差し込む側の（ケーブル側の）ピンコネクタのピン接触領域（１３０７）を、差し込まれる側（電子機器側）のピンコネクタのピン接触領域に差し込むことのできる穴（１３０８）を前記コネクタカバー構造体のカバー本体に設けている。前記穴（１３０８）については、図１３（２ａ）、（２ｂ）、（２ｃ）に例示するように、それぞれの穴の入口部分にスリット状の弁（１３１１）を設けることもできる。前記弁については、ピンコネクタが差し込まれている間は、各弁のスリット部分が挿入方向に押し曲げられる構造にする（１３１５）（１３１６）（１３１９）（１３２０）のが好ましい。また、前記スリット部分を前記押し曲げられる構造にする場合、差し込む側の（ケーブル側の）ピンコネクタ（１３１２）が差し込まれる側の（電子機器側の）ピンコネクタに差し込まれていない状態においては、前記弁（１３０９）（１３１０）（１３１１）が閉じた状態になるようにする。
【００５８】
図１４を用いて、前記着脱部をスリット状（１４０１）（１４０２）に構成する場合、および、前記挿抜部をスリット状（１４０３）に設ける場合について説明する。前記コネクタカバー構造体（１４２２）の断面ｂ（１４２１）、断面ｃ（１４１９）、断面ｄ（１４２０）を示す図１４（ｂ）、図１４（ｃ）、図１４（ｄ）にあるように、前記スリット状の構造については、スリット部分（１４０４）（１４０５）（１４０６）（１４０７）（１４０８）と前記コネクタカバー構造体との接合部分の厚さを薄くして、前記スリット部分を折りたたむことのできる構造（１４０９）（１４１０）（１４１１）（１４１２）（１４１３）（１４１４）（１４１５）（１４１６）（１４１７）（１４１８）などにする。なお、前記各スリット部分を折りたたんだ際の様子については、図１５（ａ）から（ｄ）に示すとおりである。
【００５９】
本実施形態にかかるコネクタカバー構造体を用いた場合、ひとの指が前記コネクタカバー構造体に触れても、ある程度安全であることを、図１６を用いて説明する。通常のピンコネクタの幅は、成人の人間の指よりも狭い。したがって、前記コネクタカバー構造体の横方向に、人の指が触れた場合、（図１６（１ａ）においては、ひとの指が前記ピン接触領域に触れそうに見えるが）図１６（１ａ）を横方向から見た断面図である図１６（１ｂ）に示すように、前記挿抜部および前記着脱部の穴部分の幅をピンコネクタの幅より少し広めにとっておいても、その穴部分に成人の人間の指が入り込むことはない。したがって、本実施形態にかかるコネクタカバー構造体を用いれば、成人の人間がやけどを負う可能性はほぼ皆無である。図１６（２ａ）、（２ｂ）に示すように、前記挿抜部および前記着脱部がスリット状の構成をとる場合も同様である。
【００６０】
なお、図１６においては、前記コネクタカバー構造体の利用対象が成人の人間である場合についてのみ言及した。前記コネクタカバー構造体を用いて、幼児などの指の小さい人間などの火傷を防ぐには、図１７（ａ）から（ｃ）に示すように、前記コネクタカバー構造体の四方に壁を設けるなどの措置をとる。
＜実施形態６：効果＞
【００６１】
本実施形態により、実施形態２から５に係るカバーコネクタ構造体が発揮する効果を持ち、かつ、前記コネクタカバー構造体を差し込まれる側（電子機器側）のピンコネクタに固定した状態で差し込む側（ケーブル側）のピンコネクタを差し込むことのできるカバーコネクタ構造体が実現する。本実施形態に係るカバーコネクタ構造体を用いれば、差し込む側（ケーブル側）のピンコネクタを差し込む際に、前記カバーコネクタ構造体を取り外す必要が不要となる。
【００６２】
また、本実施形態にかかるコネクタカバー構造体をピンコネクタに固定すれば、前記差し込む側（ケーブル側）のピンコネクタが差し込まれていなくとも、前記コネクタカバー構造体内に埃が進入しないようにすることが可能である。埃が前記コネクタカバー構造体内に進入しないようにすることで、接触不良やピンの酸化を防ぐことができる。
【図面の簡単な説明】
【００６３】
【図１】実施形態１を説明するための概念図
【図２】実施形態１の構成要件を説明するための図
【図３】実施形態１の構成例を説明するための図
【図４】実施形態２を説明するための概念図
【図５】実施形態２における他の具体例を説明するための図
【図６】実施形態３を説明するための概念図
【図７】同種のピンコネクタを説明するための図
【図８】実施形態３の具体例を説明するための図
【図９】実施形態３にかかるカバーコネクタ構造体が、多種のピンコネクタに対応することを説明するための図
【図１０】実施形態４を説明するための概念図
【図１１】実施形態５を説明するための概念図
【図１２】実施形態５における他の具体例を説明するための図
【図１３】実施形態６を説明するための概念図
【図１４】実施形態６においてスリット状の構成を説明するための図
【図１５】実施形態６にかかるコネクタカバー構造体を用いれば、成人の人間がやけどを負う危険性がほぼ皆無である様子を説明するための概念図
【図１６】実施形態６にかかるコネクタカバー構造体の四方に壁を設けて、指の小さい人間などが火傷を負わない構成にした様子を説明するための概念図
【図１７】ピンコネクタを説明するための概念図
【符号の説明】
【００６４】
０４０１  コネクタカバー構造体
０４０２  着脱部
０４０３  着脱部
０４０４  ピンコネクタ同士を固定するための固定金具
０４０５  ピンコネクタ同士を固定するための固定金具
【図１】
2009140833.tif 000003
【図２】
2009140833.tif 000004
【図３】
2009140833.tif 000005
【図４】
2009140833.tif 000006
【図５】
2009140833.tif 000007
【図６】
2009140833.tif 000008
【図７】
2009140833.tif 000009
【図８】
2009140833.tif 000010
【図９】
2009140833.tif 000011
【図１０】
2009140833.tif 000012
【図１１】
2009140833.tif 000013
【図１２】
2009140833.tif 000014
【図１３】
2009140833.tif 000015
【図１４】
2009140833.tif 000016
【図１５】
2009140833.tif 000017
【図１６】
2009140833.tif 000018
【図１７】
2009140833.tif 000019